(57)【要約】【課題】金属の酸化による作動不良を起こす心配が無く、揺れに対する感度が高く、緊急時に照明機能を発揮する地震警報装置を提供すること。【解決手段】台座Ｃの上方に給電装置Ｄを設置し、給電装置Ｄの上方に制御回路基板Ｅを設置し、制御回路基板Ｅに複数の発光装置Ｆ及び複数の水銀スイッチＧを装着し、台座Ｃに固定した透光カバーＨで給電装置Ｄ及び制御回路基板Ｅの上方を覆い、透光カバーＨの外面に警報音発生装置Ｉを設置し、制御回路基板Ｅに発光装置Ｆ及び警報音発生装置Ｉを接続し、振動によって水銀スイッチＧが閉じると、発光装置Ｆ及び警報音発生装置Ｉが作動する。【選択図】図４
0003130405.tif 000002
【実用新案登録請求の範囲】
【請求項１】
台座と、該台座の上方に設置された給電装置と、該給電装置の上方に設置されると共に電気的に接続された制御回路基板と、該制御回路基板に装着されると共に電気的に接続された複数の発光装置と、前記台座に固定されて前記給電装置及び制御回路基板の上方を覆う透光カバーと、該透光カバーの外面に設置されて、前記制御回路基板へ電気的に接続された警報音発生装置と、前記制御回路基板と給電装置との間に介在されて互いに並列に配置され、振動によって導通する複数の水銀スイッチとを備え、前記水銀スイッチが導通すると、該制御回路基板は、前記給電装置から電力を供給されて、前記発光装置及び警報音発生装置を作動させ、発光装置が発光すると共に、警報音発生装置が警報音を発することを特徴とした地震警報装置。
【請求項２】
前記給電装置は、電池、変圧器及び関連した電力供給部品より成る請求項１に記載された地震警報装置。
【請求項３】
前記発光装置は、ＬＥＤ又は電球と、関連した照明装置部品とから成る請求項１又は２に記載された地震警報装置。
【請求項４】
前記透光カバーと台座とは、嵌め込み、ネジ止め、スライドロックのいずれかの手段により着脱可能に固定されている請求項１〜３のいずれかに記載された地震警報装置。
【請求項５】
前記警報音発生装置は、ブザー、スピーカ及び関連の音波発生装置部品から成る請求項１〜４のいずれかに記載された地震発生装置。
【考案の詳細な説明】
【技術分野】
【０００１】
本考案は、地震発生時に、警報音を発すると共に、発光して照明としても機能する地震警報装置に関する。
【背景技術】
【０００２】
図１及び図２に示すように、従来の地震警報装置Ａは、中空の導体Ａ２の内部に導電性を有する吊り下げ部Ａ１を揺動自在に吊り下げて成る。
地震が発生して一定以上に強く揺れると、吊り下げ部Ａ１が周囲の導体Ａ２に接触して回路が導通され、警報を発するようになっている。
ところが、長期間使用していると、金属製の吊り下げ部Ａ１が錆びて揺動時に接触不良を起こし、地震があっても警報を発しなくなる虞がある。
【考案の開示】
【考案が解決しようとする課題】
【０００３】
本考案が解決しようとする課題は、金属の酸化による作動不良を起こす心配が無く、揺れに対する感度が高く、緊急時に照明機能を発揮する地震警報装置を提供することにある。
【課題を解決するための手段】
【０００４】
本考案の地震警報装置は、台座と、該台座の上方に設置された給電装置と、該給電装置の上方に設置されると共に電気的に接続された制御回路基板と、該制御回路基板に装着されると共に電気的に接続された複数の発光装置と、前記台座に固定されて前記給電装置及び制御回路基板の上方を覆う透光カバーと、該透光カバーの外面に設置されて、前記制御回路基板へ電気的に接続された警報音発生装置と、前記制御回路基板と給電装置との間に介在されて互いに並列に配置され、振動によって導通する複数の水銀スイッチとを備え、前記水銀スイッチが導通すると、該制御回路基板は、前記給電装置から電力を供給されて、前記発光装置及び警報音発生装置を作動させ、発光装置が発光すると共に、警報音発生装置が警報音を発するようになっている。
【０００５】
以下の構成を採用しても良い。
前記給電装置は、電池、変圧器及び関連した電力供給部品より成る。
前記発光装置は、ＬＥＤ又は電球と、関連した照明装置部品とから成る。
前記透光カバーと台座とは、嵌め込み、ネジ止め、スライドロックのいずれかの手段により固定されている。
前記警報音発生装置は、ブザー、スピーカ及び関連の音波発生装置部品から成る。
【考案の効果】
【０００６】
本考案によれば、揺れを感知するのに水銀スイッチを用いているので、長期間使用しても酸化する虞がないばかりか、揺れに対する感度が高く、このため、地震時に確実に作動して安全性が高まる。
また、複数の水銀スイッチが並列に配置されているので、いずれかが破損しても作動するため高い安全性が得られる。
さらに、音によって警報を発するだけでなく、発光するので、夜間等に地震が発生しても照明を確保して周囲の状況や避難路を確認できる。
【考案を実施するための最良の形態】
【０００７】
図３及び図４に示すように、本考案の地震警報装置Ｂは、台座Ｃと、給電装置Ｄと、制御回路基板Ｅと、複数の発光装置Ｆと、複数の水銀スイッチＧと、透光カバーＨと、警報音発生装置Ｉとを備える。
給電装置Ｄは、電池、変圧器及び関連した電力供給部品より成り、装置全体を支持する台座Ｃの上方に設置される。
【０００８】
制御回路基板Ｅは、給電装置Ｄの上方に設置されると共に、給電装置Ｄへ電気的に接続されている。
また、制御回路基板Ｅの下面には、複数の水銀スイッチＧが装着されると共に、地震警報装置Ｂの作動と停止を制御する電子回路Ｅ１が設けられ、制御回路基板Ｅの上面には、複数の発光装置Ｆが装着されている。
発光装置Ｆは、ＬＥＤ（発光ダイオード）又は電球と、関連した照明装置部品とから成り、制御回路基板Ｅへ電気的に接続されている。
【０００９】
水銀スイッチＧは、給電装置Ｄと制御回路基板Ｅとの間に介在されて互いに並列に配置され、振動が発生すると導通するようになっている。
透光カバーＨは、略半球状に形成されて給電装置Ｄ及び制御回路基板Ｅの上方を覆い、その周縁は、嵌め込み、ネジ止め、スライドロックのいずれかの手段により、台座Ｃへ着脱可能に固定されている。
透光カバーＨの外面には警報音発生装置Ｉが装着される。警報音発生装置Ｉは、ブザー、スピーカ及び関連の音波発生装置部品から成り、制御回路基板Ｅへ電気的に接続されている。
【００１０】
地震等による振動が発生すると、水銀スイッチＧが導通して地震警報装置Ｂが起動し、給電装置Ｄから制御回路基板Ｅへ電力が供給される。水銀スイッチＧは破損しやすいが、給電装置Ｄと制御回路基板Ｅとの間に並列に配置されているので、いずれか一つでも動通すれば制御回路基板Ｅへ給電することができる。
すると、制御回路基板Ｅの電子回路Ｅ１が発光装置Ｆ及び警報音発生装置Ｉを作動させて、図６に示すように発光装置Ｆが発光すると共に、図５に示すように警報音発生装置Ｉが警報音を発する。
従って、夜間に地震が発生しても、警報音により睡眠中の使用者が目を覚まし、発光装置Ｆが光源となって周囲の状況や避難路を確認することができる。
揺れが続いている間は地震警報装置Ｂの動作が持続するのはもちろんであるが、地震の揺れが停止した後も、電子回路Ｅ１は一定時間発光装置Ｆ及び警報音発生装置の作動を継続し、その後停止させる。
【図面の簡単な説明】
【００１１】
【図１】従来の地震警報装置の斜視図。
【図２】従来の地震警報装置の破断斜視図。
【図３】本考案の実施例を示す地震警報装置の斜視図。
【図４】本考案の実施例を示す地震警報装置の分解斜視図。
【図５】警報音発生装置の作動時における地震警報装置の斜視図。
【図６】発光装置の作動時における地震警報装置の斜視図。
【符号の説明】
【００１２】
Ａ  従来の地震警報装置
Ａ１  吊り下げ部
Ａ２  導体
Ｂ  地震警報装置
Ｃ  台座
Ｄ  給電装置
Ｅ  制御回路基板
Ｅ１  電子回路
Ｆ  発光装置
Ｇ  水銀スイッチ
Ｈ  透光カバー
Ｉ  警報音発生装置
【図１】
0003130405.tif 000003
【図２】
0003130405.tif 000004
【図３】
0003130405.tif 000005
【図４】
0003130405.tif 000006
【図５】
0003130405.tif 000007
【図６】
0003130405.tif 000008
【手続補正書】
【提出日】平成19年1月23日(2007.1.23)
【手続補正１】
【補正対象書類名】実用新案登録請求の範囲
【補正対象項目名】請求項５
【補正方法】変更
【補正の内容】
【請求項５】
前記警報音発生装置は、ブザー、スピーカ及び関連の音波発生装置部品から成る請求項１〜４のいずれかに記載された地震警報装置。